(57)【特許請求の範囲】
【請求項１】
無線通信システムにおいて端末が拡張物理下りリンク制御チャネル（ＥＰＤＣＣＨ）を介して制御情報を受信する方法であって、
複数のＥＰＤＣＣＨ物理リソースブロック（ＰＲＢ）セットに対する複数のＥＰＤＣＣＨセットの設定を受信するステップと、
前記複数のＥＰＤＣＣＨセットの設定のそれぞれに基づいて、前記複数のＥＰＤＣＣＨ ＰＲＢセットのそれぞれに対してＥＰＤＣＣＨの復号を試みるステップと、を有し、
前記復号を試みるステップにおいて、前記端末は、前記複数のＥＰＤＣＣＨ ＰＲＢセットのそれぞれに対して、前記ＥＰＤＣＣＨ ＰＲＢセットのそれぞれのための前記複数のＥＰＤＣＣＨセットの設定のそれぞれによって示されるそれぞれのパラメータセットを用いて、ＥＰＤＣＣＨリソース要素を決定し、
前記複数のＥＰＤＣＣＨセットの設定のそれぞれによって示されるそれぞれのパラメータセットは、セル固有参照信号（ＣＲＳ）関連パラメータ、チャネル状態情報参照信号（ＣＳＩ−ＲＳ）関連パラメータおよび物理下りリンク制御チャネル（ＰＤＣＣＨ）関連パラメータを有する、制御情報受信方法。
【請求項２】
前記ＣＲＳ関連パラメータは、ＣＲＳのためのアンテナポートの個数、前記ＣＲＳの周波数シフト情報およびマルチメディアブロードキャスト単一周波数ネットワーク（ＭＢＳＦＮ）サブフレーム情報を有する、請求項１に記載の制御情報受信方法。
【請求項３】
前記端末は、前記ＥＰＤＣＣＨが、前記ＣＲＳのためのアンテナポートの個数および前記ＣＲＳの周波数シフト情報に関連するリソース要素にマッピングされないと推定する、請求項１に記載の制御情報受信方法。
【請求項４】
前記ＣＳＩ−ＲＳ関連パラメータは、ゼロパワーＣＳＩ−ＲＳリソース設定を識別するためのパラメータである、請求項１に記載の制御情報受信方法。
【請求項５】
前記端末は、前記ＥＰＤＣＣＨが、前記ゼロパワーＣＳＩ−ＲＳリソース設定に関連するリソース要素にマッピングされないと推定する、請求項４に記載の制御情報受信方法。
【請求項６】
前記ＰＤＣＣＨ関連パラメータは、ＰＤＣＣＨが送信されるＯＦＤＭシンボルの個数情報を有する、請求項１に記載の制御情報受信方法。
【請求項７】
前記端末は、前記ＰＤＣＣＨ関連パラメータから、物理下りリンク共有チャネル（ＰＤＳＣＨ）の送信が始まるＯＦＤＭシンボルを把握する、請求項６に記載の制御情報受信方法。
【請求項８】
前記端末は、前記それぞれのパラメータセットを上位層シグナリングを介して受信する、請求項１に記載の制御情報受信方法。
【請求項９】
前記複数のＥＰＤＣＣＨ ＰＲＢセットは、複数の送信ポイントから送信される、請求項１に記載の制御情報受信方法。
【請求項１０】
前記複数の送信ポイントは、協調マルチポイント（ＣｏＭＰ）クラスタに有される、請求項９に記載の制御情報受信方法。
【請求項１１】
前記複数のＥＰＤＣＣＨ ＰＲＢセットのそれぞれは、局部型ＥＰＤＣＣＨ送信または分散型ＥＰＤＣＣＨ送信のいずれかに設定される、請求項１に記載の制御情報受信方法。
【請求項１２】
前記複数のＥＰＤＣＣＨ ＰＲＢセットの設定は、上位層シグナリングによって受信される、請求項１に記載の制御情報受信方法。
【請求項１３】
無線通信システムにおける端末装置であって、
複数の拡張物理下りリンク制御チャネル（ＥＰＤＣＣＨ）物理リソースブロック（ＰＲＢ）セットに対する複数のＥＰＤＣＣＨセットの設定を受信するよう構成された受信モジュールと、
前記複数のＥＰＤＣＣＨセットの設定のそれぞれに基づいて、前記複数のＥＰＤＣＣＨ ＰＲＢセットのそれぞれに対してＥＰＤＣＣＨの復号を試みるよう構成されたプロセッサと、を有し、
前記プロセッサは、前記複数のＥＰＤＣＣＨ ＰＲＢセットのそれぞれに対して、前記ＥＰＤＣＣＨ ＰＲＢセットのそれぞれのための前記複数のＥＰＤＣＣＨセットの設定のそれぞれによって示されるパラメータセットを用いて、ＥＰＤＣＣＨリソース要素を決定し、
前記複数のＥＰＤＣＣＨセットの設定のそれぞれによって示されるパラメータセットは、セル固有参照信号（ＣＲＳ）関連パラメータ、チャネル状態情報参照信号（ＣＳＩ−ＲＳ）関連パラメータおよび物理下りリンク制御チャネル（ＰＤＣＣＨ）関連パラメータを有する、端末装置。
【発明の詳細な説明】
【技術分野】
【０００１】
以下の説明は、無線通信システムに関し、特に、拡張物理下りリンク制御チャネル（Enhanced Physical Downlink Control CHannel；ＥＰＤＣＣＨ）を用いた制御情報の受信方法および装置に関する。
【背景技術】
【０００２】
無線通信システムが、音声やデータなどの種々の通信サービスを提供するために広範囲に展開されている。一般に、無線通信システムは、使用可能なシステムリソース（帯域幅、送信電力など）を共有して複数のユーザとの通信をサポートできる多元接続（multiple access）システムとなっている。多元接続システムの例には、符号分割多元接続（code division multiple access；ＣＤＭＡ）システム、周波数分割多元接続（frequency division multiple access；ＦＤＭＡ）システム、時分割多元接続（time division multiple access；ＴＤＭＡ）システム、直交周波数分割多元接続（orthogonal frequency division multiple access；ＯＦＤＭＡ）システム、単一搬送波周波数分割多元接続（single carrier frequency division multiple access；ＳＣ−ＦＤＭＡ）システム、多搬送波周波数分割多元接続（multi carrier frequency division multiple access；ＭＣ−ＦＤＭＡ）システムなどがある。
【発明の概要】
【発明が解決しようとする課題】
【０００３】
本発明では、端末に複数の物理リソースブロック対が設定された場合に、ＥＰＤＣＣＨを介して制御情報を受信する方法に関する技術を提供する。
【０００４】
本発明で達成しようとする技術的課題は、上記で言及している技術的課題に限定されるものではなく、言及していない別の技術的課題は、以下の記載から、本発明の属する技術分野における通常の知識を有する者には明確に理解されるであろう。
【課題を解決するための手段】
【０００５】
本発明の第１の技術的な側面によれば、無線通信システムにおいて端末が拡張物理下りリンク制御チャネル（Enhanced Physical Downlink Control CHannel；ＥＰＤＣＣＨ）を介して制御情報を受信する方法であって、複数のＥＰＤＣＣＨ物理リソースブロック（Physical Resource Block；ＰＲＢ）セットのそれぞれに対してＥＰＤＣＣＨの復号を試みるステップを有し、復号を試みるステップにおいて、端末は、複数のＥＰＤＣＣＨ ＰＲＢセットのそれぞれに対して、ＥＰＤＣＣＨ ＰＲＢセットのそれぞれのためのパラメータセットを用いて、ＥＰＤＣＣＨがマッピングされたリソース要素を決定し、パラメータセットは、セル固有参照信号（Cell-specific Reference Signal；ＣＲＳ）関連パラメータ、チャネル状態情報参照信号（Channel State Information-Reference Signal；ＣＳＩ−ＲＳ）関連パラメータおよび物理下りリンク制御チャネル（Physical Downlink Control CHannel；ＰＤＣＣＨ）関連パラメータを有する方法が提供される。
【０００６】
本発明の第２の技術的な側面によれば、無線通信システムにおける端末装置であって、受信モジュールと、プロセッサと、を有し、プロセッサは、複数の拡張物理下りリンク制御チャネル（Enhanced Physical Downlink Control CHannel；ＥＰＤＣＣＨ）物理リソースブロック（Physical Resource Block；ＰＲＢ）セットのそれぞれに対してＥＰＤＣＣＨの復号を試み、ＥＰＤＣＣＨの復号を試みるとき、複数のＥＰＤＣＣＨ ＰＲＢセットのそれぞれに対して、ＥＰＤＣＣＨ ＰＲＢセットのそれぞれのためのパラメータセットを用いて、ＥＰＤＣＣＨがマッピングされたリソース要素を決定し、パラメータセットは、セル固有参照信号（Cell-specific Reference Signal；ＣＲＳ）関連パラメータ、チャネル状態情報参照信号（Channel State Information-Reference Signal；ＣＳＩ−ＲＳ）関連パラメータおよび物理下りリンク制御チャネル（Physical Downlink Control CHannel；ＰＤＣＣＨ）関連パラメータを有する装置が提供される。
【０００７】
本発明の第１および第２の技術的な側面は、下記の事項を有することができる。
【０００８】
ＣＲＳ関連パラメータは、ＣＲＳのためのアンテナポートの個数、ＣＲＳの周波数シフト情報およびマルチメディアブロードキャスト単一周波数ネットワーク（Multimedia Broadcast Single Frequency Network；ＭＢＳＦＮ）サブフレーム情報を有することができる。
【０００９】
端末は、ＥＰＤＣＣＨが、ＣＲＳのためのアンテナポートの個数およびＣＲＳの周波数シフト情報に関連するリソース要素にマッピングされないと推定することができる。
【００１０】
ＣＳＩ−ＲＳ関連パラメータは、ゼロパワーＣＳＩ−ＲＳリソース設定を識別するためのパラメータでもよい。
【００１１】
端末は、ＥＰＤＣＣＨが、ゼロパワーＣＳＩ−ＲＳリソース設定に関連するリソース要素にマッピングされないと推定することができる。
【００１２】
ＰＤＣＣＨ関連パラメータは、ＰＤＣＣＨが送信されるＯＦＤＭシンボルの個数情報を有することができる。
【００１３】
端末は、ＰＤＣＣＨ関連パラメータから、ＰＤＳＣＨの送信が始まるＯＦＤＭシンボルを把握することができる。
【００１４】
端末は、パラメータセットを上位層シグナリングを介して受信することができる。
【００１５】
複数のＥＰＤＣＣＨ ＰＲＢセットは、複数の送信ポイントから送信されてもよい。
【００１６】
複数の送信ポイントは、協調マルチポイント（Coordinate Multi Point；ＣｏＭＰ）クラスタに有されてもよい。
【００１７】
複数のＥＰＤＣＣＨ ＰＲＢセットのそれぞれは、局部型（Localised）ＥＰＤＣＣＨ送信または分散型（Distributed）ＥＰＤＣＣＨ送信のいずれかに設定されてもよい。
【００１８】
複数のＥＰＤＣＣＨ ＰＲＢセットは、上位層シグナリングによって設定されてもよい。
【発明の効果】
【００１９】
本発明によれば、端末に複数の物理リソースブロック対が設定され、物理リソースブロック対を介して制御情報を送信する送信ポイントがサービングセルに制限されない場合にも制御情報を円滑に受信することができる。
【００２０】
本発明から得られる効果は、以上に言及した効果に限定されず、言及していない別の効果は、以下の記載から、本発明の属する技術分野における通常の知識を有する者には明確に理解されるであろう。
【図面の簡単な説明】
【００２１】
【図１】無線フレームの構造を示す図である。
【図２】下りリンクスロットにおけるリソースグリッド（resource grid）を示す図である。
【図３】下りリンクサブフレームの構造を示す図である。
【図４】上りリンクサブフレームの構造を示す図である。
【図５】探索空間を説明するための図である。
【図６】参照信号を説明するための図である。
【図７】異種無線ネットワーク環境を示す図である。
【図８】ＣｏＭＰクラスタ（CoMP cluster）を例示する図である。
【図９】本発明の実施例に係る送信ポイントとＥＰＤＣＣＨ ＰＲＢセットとの関係を例示する図である。
【図１０】本発明の実施例に係る制御情報のハンドオーバを説明するための図である。
【図１１】本発明の実施例に係るＥＰＤＣＣＨリソースセット別に互いに異なるＱＣＬ（疑似同位置（quasi co-location））情報を用いてＥＰＤＣＣＨを検出する例示を示す図である。
【図１２】送受信装置の構成を示す図である。
【発明を実施するための形態】
【００２２】
本明細書に添付される図面は、本発明に関する理解を提供するためのもので、本発明の種々の実施の形態を示し、明細書の記載と共に本発明の原理を説明するためのものである。
【００２３】
以下の実施例は、本発明の構成要素および特徴を所定の形態で組み合わせたものである。各構成要素または特徴は、別に明示しない限り、選択的なものとして考慮されてもよい。各構成要素または特徴は、他の構成要素や特徴と組み合わせない形態で実施されることもある。また、一部の構成要素および／または特徴が組み合わせられて本発明の実施例を構成することもある。本発明の実施例で説明される動作の順序は変更されてもよい。ある実施例の一部の構成や特徴は、他の実施例に含まれてもよく、他の実施例の対応する構成または特徴に代えてもよい。
【００２４】
本明細書では、本発明の実施例を、基地局と端末との間におけるデータ送受信の関係を中心に説明する。ここで、基地局は、端末と直接通信を行うネットワークの終端ノード（terminal node）としての意味を有する。本文書で、基地局により行われるとした特定の動作は、場合によっては、基地局の上位ノード（upper node）により行われることもある。
【００２５】
すなわち、基地局を含む複数のネットワークノード（network nodes）からなるネットワークにおいて、端末との通信のために行われる種々の動作は、基地局または基地局以外の他のネットワークノードにより行われるということは明らかである。「基地局（ＢＳ：Base Station）」は、固定局（fixed station）、ノードＢ（Node B）、ｅノードＢ（e Node B；ｅＮＢ）、アクセスポイント（Access Point；ＡＰ）などの用語に代えてもよい。中継機は、中継ノード（Relay Node；ＲＮ）、中継局（Relay Station；ＲＳ）などの用語に代えてもよい。また、「端末（Terminal）」は、ユーザ装置（User Equipment；ＵＥ）、移動局（Mobile Station；ＭＳ）、移動加入者局（Mobile Subscriber Station；ＭＳＳ）、加入者局（Subscriber Station；ＳＳ）などの用語に代えてもよい。
【００２６】
以下の説明で使われる特定の用語は、本発明の理解を助けるために提供されたもので、これらの特定の用語の使用は、本発明の技術的思想から逸脱することなく他の形態に変更されてもよい。
【００２７】
場合によっては、本発明の概念が曖昧になることを避けるために、公知の構造および装置は省略されたり、各構造および装置の核心機能を中心にしたブロック図の形式で示されてもよい。また、本明細書全体を通じて同一の構成要素には同一の図面符号を付して説明する。
【００２８】
本発明の実施例は、無線接続システムであるＩＥＥＥ ８０２システム、３ＧＰＰシステム、３ＧＰＰ ＬＴＥおよびＬＴＥアドバンスト（LTE-Advanced；ＬＴＥ−Ａ）システム、並びに、３ＧＰＰ２システムの少なくとも一つに関して開示された標準文書でサポートすることができる。すなわち、本発明の実施例において本発明の技術的思想を明確にするために説明を省いた段階または部分は、上記の標準文書でサポートすることができる。なお、本文書で開示している全ての用語は、上記の標準文書によって説明することができる。
【００２９】
以下の技術は、符号分割多元接続（Code Division Multiple Access；ＣＤＭＡ）、周波数分割多元接続（Frequency Division Multiple Access；ＦＤＭＡ）、時間分割多元接続（Time Division Multiple Access；ＴＤＭＡ）、直交周波数分割多元接続（Orthogonal Frequency Division Multiple Access；ＯＦＤＭＡ）、単一搬送波周波数分割多元接続（Single Carrier Frequency Division Multiple Access；ＳＣ−ＦＤＭＡ）などの種々の無線接続システムに利用することができる。ＣＤＭＡは、ユニバーサル地上無線アクセス（Universal Terrestrial Radio Access；ＵＴＲＡ）やＣＤＭＡ２０００などの無線技術（radio technology）によって具現することができる。ＴＤＭＡは、世界移動体通信システム（Global System for Mobile communications；ＧＳＭ（登録商標））／汎用パケット無線サービス（General Packet Radio Service；ＧＰＲＳ）／発展型ＧＳＭ用拡張データレート（Enhanced Data Rates for GSM Evolution；ＥＤＧＥ）などの無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、発展型ＵＴＲＡ（Evolved UTRA；Ｅ−ＵＴＲＡ）などの無線技術によって具現することができる。ＵＴＲＡは、ユニバーサル移動電話システム（Universal Mobile Telecommunications System；ＵＭＴＳ）の一部である。第３世代パートナーシッププロジェクト（3rd Generation Partnership Project；３ＧＰＰ）ロングタームエボリューション（long term evolution；ＬＴＥ）は、Ｅ−ＵＴＲＡを用いる発展型ＵＭＴＳ（Evolved UMTS；Ｅ−ＵＭＴＳ）の一部であり、下りリンクでＯＦＤＭＡを採用し、上りリンクでＳＣ−ＦＤＭＡを採用する。ＬＴＥアドバンスト（LTE-Advanced；ＬＴＥ−Ａ）は、３ＧＰＰ ＬＴＥの発展版である。ＷｉＭＡＸは、ＩＥＥＥ ８０２．１６ｅ規格（無線ＭＡＮ−ＯＦＤＭＡ参照システム（Wireless MAN-OFDMA Reference System））およびアドバンストＩＥＥＥ ８０２．１６ｍ規格（無線ＭＡＮ−ＯＦＤＭＡアドバンストシステム（Wireless MAN-OFDMA Advanced system））によって説明することができる。明確性のために、以下では、３ＧＰＰ ＬＴＥおよびＬＴＥ−Ａシステムを中心にして説明するが、本発明の技術的思想はこれに限定されない。
【００３０】
図１を参照して無線フレームの構造について説明する。
【００３１】
セルラＯＦＤＭ無線パケット通信システムにおいて、上り／下りリンクデータパケット送信はサブフレーム（subframe）単位で行われ、１個のサブフレームは、複数のＯＦＤＭシンボルを含む一定の時間区間として定義される。３ＧＰＰ ＬＴＥ標準では、周波数分割二重通信（Frequency Division Duplex；ＦＤＤ）に適用可能なタイプ１の無線フレーム（radio frame）構造と、時分割二重通信（Time Division Duplex；ＴＤＤ）に適用可能なタイプ２の無線フレーム構造とをサポートする。
【００３２】
図１（ａ）は、タイプ１の無線フレームの構造を例示する図である。下りリンク無線フレームは１０個のサブフレームで構成され、１個のサブフレームは、時間領域（time domain）において２個のスロット（slot）で構成される。１個のサブフレームを送信するためにかかる時間を送信時間間隔（transmission time interval；ＴＴＩ）という。例えば、１個のサブフレームの長さは１ｍｓであり、１個のスロットの長さは０．５ｍｓでもよい。１個のスロットは時間領域において複数のＯＦＤＭシンボルを含み、周波数領域において複数のリソースブロック（Resource Block；ＲＢ）を含む。３ＧＰＰ ＬＴＥシステムでは、下りリンクでＯＦＤＭＡを用いるので、ＯＦＤＭシンボルが１シンボル区間を表す。ＯＦＤＭシンボルは、ＳＣ−ＦＤＭＡシンボルまたはシンボル区間と呼ばれることもある。リソースブロック（ＲＢ）はリソース割当単位であり、１個のスロットにおいて複数の連続した副搬送波（subcarrier）を含むことができる。
【００３３】
１個のスロットに含まれるＯＦＤＭシンボルの数は、巡回プリフィックス（Cyclic Prefix；ＣＰ）の構成（configuration）によって異なることがある。ＣＰには拡張ＣＰ（extended CP）と正規ＣＰ（normal CP）がある。例えば、ＯＦＤＭシンボルが正規ＣＰによって構成された場合、１個のスロットに含まれるＯＦＤＭシンボルの数は７個でもよい。ＯＦＤＭシンボルが拡張ＣＰによって構成された場合、１個のＯＦＤＭシンボルの長さが増加するため、１個のスロットに含まれるＯＦＤＭシンボルの数は、正規ＣＰの場合に比べて少ない。拡張ＣＰの場合は、例えば、１個のスロットに含まれるＯＦＤＭシンボルの数は６個でもよい。端末が速い速度で移動する場合などのようにチャネル状態が不安定な場合は、シンボル間干渉をより減らすために拡張ＣＰを用いることができる。
【００３４】
正規ＣＰが用いられる場合、１個のスロットは７個のＯＦＤＭシンボルを含み、１個のサブフレームは１４個のＯＦＤＭシンボルを含む。このとき、各サブフレームにおける先頭の２個または３個のＯＦＤＭシンボルは物理下りリンク制御チャネル（Physical Downlink Control CHannel；ＰＤＣＣＨ）に割り当て、残りのＯＦＤＭシンボルは物理下りリンク共有チャネル（Physical Downlink Shared CHannel；ＰＤＳＣＨ）に割り当てることができる。
【００３５】
図１（ｂ）は、タイプ２の無線フレーム構造を示す図である。タイプ２の無線フレームは、２個のハーフフレーム（half frame）で構成される。各ハーフフレームは、５個のサブフレームと、下りリンクパイロットタイムスロット（Downlink Pilot Time Slot；ＤｗＰＴＳ）、保護区間（Guard Period；ＧＰ）および上りリンクパイロットタイムスロット（Uplink Pilot Time Slot；ＵｐＰＴＳ）とで構成され、ここで、１個のサブフレームは２個のスロットで構成される。ＤｗＰＴＳは、端末での初期セル探索、同期化またはチャネル推定に用いられる。ＵｐＰＴＳは、基地局でのチャネル推定と端末の上り送信同期を取るために用いられる。保護区間は、上りリンクと下りリンクとの間に下りリンク信号の多重経路遅延によって上りリンクで生じる干渉を除去するための区間である。一方、無線フレームのタイプによらず、１個のサブフレームは２個のスロットで構成される。
【００３６】
無線フレームの構造は例示に過ぎず、無線フレームに含まれるサブフレームの数、サブフレームに含まれるスロットの数、またはスロットに含まれるシンボルの数は様々に変更することができる。
【００３７】
図２は、下りリンクスロットにおけるリソースグリッド（resource grid）を示す図である。同図において、１個の下りリンクスロットは時間領域で７個のＯＦＤＭシンボルを含み、１個のリソースブロック（ＲＢ）は周波数領域で１２個の副搬送波を含むとしたが、本発明はこれに限定されない。例えば、正規ＣＰ（normal-Cyclic Prefix）では１個のスロットが７個のＯＦＤＭシンボルを含むが、拡張ＣＰ（extended-CP）では１個のスロットが６個のＯＦＤＭシンボルを含んでもよい。リソースグリッド上のそれぞれの要素をリソース要素（resource element）と呼ぶ。１個のリソースブロックは、１２×７個のリソース要素を含む。下りリンクスロットに含まれるリソースブロックの個数ＮDLは、下り送信帯域幅による。上りリンクスロットの構造は、下りリンクスロットの構造と同一でもよい。
【００３８】
図３は、下りリンクサブフレームの構造を示す図である。１個のサブフレーム内で１番目のスロットの先頭における最大３個のＯＦＤＭシンボルは、制御チャネルが割り当てられる制御領域に該当する。残りのＯＦＤＭシンボルは、物理下り共有チャネル（Physical Downlink Shared CHannel；ＰＤＳＣＨ）が割り当てられるデータ領域に該当する。３ＧＰＰ ＬＴＥシステムで用いられる下り制御チャネルには、例えば、物理制御フォーマットインジケータチャネル（Physical Control Format Indicator CHannel；ＰＣＦＩＣＨ）、物理下りリンク制御チャネル（Physical Downlink Control CHannel；ＰＤＣＣＨ）、物理ＨＡＲＱインジケータチャネル（Physical Hybrid automatic repeat request Indicator CHannel；ＰＨＩＣＨ）などがある。ＰＣＦＩＣＨは、サブフレームの最初のＯＦＤＭシンボルで送信され、サブフレーム内の制御チャネル送信に使われるＯＦＤＭシンボルの個数に関する情報を含む。ＰＨＩＣＨは、上りリンク送信の応答としてＨＡＲＱ ＡＣＫ／ＮＡＣＫ信号を含む。ＰＤＣＣＨで送信される制御情報を、下りリンク制御情報（Downlink Control Information；ＤＣＩ）という。ＤＣＩは、上りリンクまたは下りリンクスケジューリング情報を含んだり、任意の端末グループに対する上り送信電力制御命令を含む。ＰＤＣＣＨは、下りリンク共有チャネル（ＤＬ−ＳＣＨ）のリソース割当および送信フォーマット、上りリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で送信されるランダムアクセス応答（Random Access Response）などの上位層制御メッセージのリソース割当、任意の端末グループ内の個別端末に対する送信電力制御命令のセット、送信電力制御情報、ＶｏＩＰ（Voice over IP）の活性化情報などを含むことができる。複数のＰＤＣＣＨが制御領域内で送信され、端末は複数のＰＤＣＣＨを監視することができる。ＰＤＣＣＨは、一つまたは複数の連続する制御チャネル要素（Control Channel Element；ＣＣＥ）のアグリゲーション（aggregation）で送信される。ＣＣＥは、無線チャネルの状態に基づくコーディングレートでＰＤＣＣＨを提供するために用いられる論理割当単位である。ＣＣＥは、複数のリソース要素グループに対応する。ＰＤＣＣＨのフォーマットと利用可能なビット数とは、ＣＣＥの個数とＣＣＥによって提供されるコーディングレート間の相関関係とによって決定される。基地局は、端末に送信されるＤＣＩによってＰＤＣＣＨフォーマットを決定し、制御情報に巡回冗長検査（Cyclic Redundancy Check；ＣＲＣ）を付加する。ＣＲＣは、ＰＤＣＣＨの所有者または用途によって無線ネットワーク一時識別子（Radio Network Temporary Identifier；ＲＮＴＩ）という識別子でマスクされる。ＰＤＣＣＨが特定の端末に対するものであれば、端末のセルＲＮＴＩ（Cell-RNTI；Ｃ−ＲＮＴＩ）識別子でＣＲＣをマスクすることができる。あるいは、ＰＤＣＣＨがページングメッセージに対するものであれば、ページングインジケータ識別子（Paging Indicator Identifier；Ｐ−ＲＮＴＩ）でＣＲＣをマスクすることができる。ＰＤＣＣＨがシステム情報（より具体的には、システム情報ブロック（ＳＩＢ））に対するものであれば、システム情報識別子およびシステム情報ＲＮ���Ｉ（ＳＩ−ＲＮＴＩ）でＣＲＣをマスクすることができる。端末のランダムアクセスプリアンブルの送信に対する応答であるランダムアクセス応答を示すために、ランダムアクセス−ＲＮＴＩ（ＲＡ−ＲＮＴＩ）でＣＲＣをマスクすることができる。
【００３９】
図４は、上りリンクサブフレームの構造を示す図である。上りリンクサブフレームは、周波数領域で制御領域とデータ領域とに区別できる。制御領域には、上りリンク制御情報を含む物理上り制御チャネル（Physical Uplink Control CHannel；ＰＵＣＣＨ）が割り当てられる。データ領域には、ユーザデータを含む物理上り共有チャネル（Physical Uplink Shared CHannel；ＰＵＳＣＨ）が割り当てられる。単一搬送波特性を維持するために、一つの端末はＰＵＣＣＨとＰＵＳＣＨとを同時に送信しない。一つの端末のＰＵＣＣＨは、サブフレームにおいてリソースブロック対（RB pair）に割り当てられる。リソースブロック対に属するリソースブロックは、２個のスロットに対して互いに異なった副搬送波を占める。これを、ＰＵＣＣＨに割り当てられるリソースブロック対がスロット境界で周波数−ホッピング（frequency-hopped）するという。
【００４０】
ＤＣＩフォーマット
現在、ＬＴＥ−Ａ（release 10）によれば、ＤＣＩフォーマット０、１、１Ａ、１Ｂ、１Ｃ、１Ｄ、２、２Ａ、２Ｂ、２Ｃ、３、３Ａ、４が定義されている。ここで、ＤＣＩフォーマット０、１Ａ、３、３Ａは、後述するブラインド復号回数を減らすべく同一のメッセージサイズを有するように規定されている。このようなＤＣＩフォーマットは、送信しようする制御情報の用途によって、ｉ）上りリンク承認（grant）に用いられるＤＣＩフォーマット０、４、ii）下りリンクスケジューリング割当に用いられるＤＣＩフォーマット１、１Ａ、１Ｂ、１Ｃ、１Ｄ、２、２Ａ、２Ｂ、２Ｃ、iii）電力制御命令のためのＤＣＩフォーマット３、３Ａに区別できる。
【００４１】
上りリンクの承認に用いられるＤＣＩフォーマット０は、後述する搬送波アグリゲーション（carrier aggregation）において必要な搬送波オフセット（搬送波インジケータ（carrier indicator））、ＤＣＩフォーマット０と１Ａとを区別するために用いられるオフセット（フォーマット０／フォーマット１Ａを区別するフラグ（flag for format 0/format 1A differentiation））、上りリンクのＰＵＳＣＨ送信において周波数ホップが用いられるか否かを知らせる周波数ホッピングフラグ（frequency hopping flag）、端末がＰＵＳＣＨ送信に用いるべきリソースブロック割当（resource block assignment）に関する情報、変調および符号化方式（modulation and coding scheme）、ＨＡＲＱプロセスと関連して初期送信のためにバッファを空にするために用いられる新しいデータインジケータ（new data indicator）、ＰＵＳＣＨのための送信電力制御命令（TPC command for scheduled for PUSCH）、復調用参照信号（DeModulation Reference Signal；ＤＭＲＳ）のための巡回シフト情報およびＯＣＣインデックス（cyclic shift for DMRS and OCC index）、ＴＤＤ動作で必要な上りリンクインデックス（UL index）およびチャネル品質情報（Channel Quality Indicator）要求情報（CSI request）などを含むことができる。一方、ＤＣＩフォーマット０は同期式ＨＡＲＱを用いるため、下りリンクスケジューリング割当に関するＤＣＩフォーマットとは違い、冗長バージョン（redundancy version）を含まない。搬送波オフセットは、クロス搬送波スケジューリングが用いられない場合にはＤＣＩフォーマットに含まれない。
【００４２】
ＤＣＩフォーマット４は、ＬＴＥ−Ａリリース１０で新たに追加されたもので、ＬＴＥ−Ａにおいて上りリンク送信に空間多重化が適用されることをサポートする。ＤＣＩフォーマット４は、ＤＣＩフォーマット０と比較して空間多重化のための情報をさらに含むので、より大きいメッセージサイズを有し、ＤＣＩフォーマット０に含まれる制御情報に追加の制御情報をさらに含む。すなわち、ＤＣＩフォーマット４は、２番目の送信ブロックのための変調および符号化方式、多重アンテナ送信のためのプリコーディング情報、サウンディング参照信号要求（SRS request）情報をさらに含む。一方、ＤＣＩフォーマット４はＤＣＩフォーマット０よりも大きいサイズを有するので、ＤＣＩフォーマット０と１Ａとを区別するオフセットは含まない。
【００４３】
下りリンクスケジューリング割当に関連したＤＣＩフォーマット１、１Ａ、１Ｂ、１Ｃ、１Ｄ、２、２Ａ、２Ｂ、２Ｃは、空間多重化をサポートしない１、１Ａ、１Ｂ、１Ｃ、１Ｄと、空間多重化をサポートする２、２Ａ、２Ｂ、２Ｃとに区別できる。
【００４４】
ＤＣＩフォーマット１Ｃは、コンパクト下りリンク割当であって、周波数連続的割当のみをサポートし、他のフォーマットと比較して、搬送波オフセット、冗長バージョンを含まない。
【００４５】
ＤＣＩフォーマット１Ａは、下りリンクスケジューリングおよびランダムアクセス手順のためのフォーマットである。ここには、搬送波オフセット、下りリンク分散型送信が用いられるか否かを知らせるインジケータ、ＰＤＳＣＨリソース割当情報、変調および符号化方式、冗長バージョン、ソフトコンバイニングのために用いられるプロセッサを知らせるためのＨＡＲＱプロセッサ番号、ＨＡＲＱプロセスと関連して初期送信のためにバッファを空にするために用いられる新しいデータオフセット、ＰＵＣＣＨのための送信電力制御命令、ＴＤＤ動作で必要な上りリンクインデックスなどを含むことができる。
【００４６】
ＤＣＩフォーマット１は、大部分の制御情報がＤＣＩフォーマット１Ａと略同様になっている。ただし、ＤＣＩフォーマット１Ａが連続したリソース割当に関連するものであるに対し、ＤＣＩフォーマット１は不連続のリソース割当をサポートする。従って、ＤＣＩフォーマット１はリソース割当ヘッダをさらに含むため、リソース割当の柔軟性が増大することのトレードオフとして、制御シグナリングのオーバーヘッドは多少増加する。
【００４７】
ＤＣＩフォーマット１Ｂ、１Ｄは、ＤＣＩフォーマット１と比較すると、プリコーディング情報をさらに含むという点で共通する。ＤＣＩフォーマット１ＢはＰＭＩ確認を、ＤＣＩフォーマット１Ｄは下りリンク電力オフセット情報をそれぞれ含む。その他ＤＣＩフォーマット１Ｂ、１Ｄに含まれた制御情報は、ＤＣＩフォーマット１Ａの制御情報と殆ど一致する。
【００４８】
ＤＣＩフォーマット２、２Ａ、２Ｂ、２Ｃは、基本的にＤＣＩフォーマット１Ａに含まれた制御情報の大部分を含むとともに、空間多重化のための情報をさらに含む。それらの情報には、２番目の送信ブロックに関する変調および符号化方式、新しいデータオフセット、および冗長バージョンが該当する。
【００４９】
ＤＣＩフォーマット２は、閉ループ空間多重化をサポートし、２Ａは開ループ空間多重化をサポートする。両者ともプリコーディング情報を含む。ＤＣＩフォーマット２Ｂは、ビームフォーミングと組み合わせたデュアルレイヤ空間多重化をサポートし、ＤＭＲＳのための巡回シフト情報をさらに含む。ＤＣＩフォーマット２ＣはＤＣＩフォーマット２Ｂの拡張として理解してもよく、８個のレイヤまで空間多重化をサポートする。
【００５０】
ＤＣＩフォーマット３、３Ａは、前述した上りリンク承認および下りリンクスケジューリング割当のためのＤＣＩフォーマットに含まれている送信電力制御情報を補完、すなわち、半−持続的（semi-persistent）スケジューリングをサポートするために用いることができる。端末当たり、ＤＣＩフォーマット３は１ビット、３Ａは２ビットの命令が用いられる。
【００５１】
上述のようなＤＣＩフォーマットのいずれか一つを一つのＰＤＣＣＨで送信し、複数のＰＤＣＣＨを制御領域内で送信することができる。端末は、複数のＰＤＣＣＨを監視することができる。
【００５２】
ＰＤＣＣＨプロセシング
ＰＤＣＣＨをリソース要素（ＲＥ）にマッピングするとき、連続した論理割当単位である制御チャネル要素（ＣＣＥ）を用いる。１個のＣＣＥは複数（例えば、９個）のリソース要素グループ（ＲＥＧ）を含み、１個のＲＥＧは、参照信号（ＲＳ）を除く状態で隣接した４個のＲＥで構成される。
【００５３】
特定のＰＤＣＣＨのために必要なＣＣＥの個数は、制御情報のサイズであるＤＣＩペイロード、セル帯域幅、チャネル符号化率などによって異なる。具体的に、特定のＰＤＣＣＨのためのＣＣＥの個数を、下記の表１のように、ＰＤＣＣＨフォーマットによって定義することができる。
【００５４】
【表１】
0005997374.tif 000002
【００５５】
前述した通り、ＰＤＣＣＨには４種類のフォーマットのいずれか一つを用いることができるが、それが端末には示されない。そのため、端末にとってはＰＤＣＣＨフォーマットを知らないまま復号をしなければならない。これをブラインド復号という。ただし、端末が下りリンクに用いることができるすべてのＣＣＥを各ＰＤＣＣＨフォーマットに対して復号することは大きな負担となるため、スケジューラに対する制約と復号を試みる回数とを考慮して探索空間（Search Space）を定義する。
【００５６】
すなわち、探索空間は、アグリゲーションレベル（Aggregation Level）上で端末が復号を試みるべきＣＣＥからなる候補（candidate）ＰＤＣＣＨの集合である。ここで、アグリゲーションレベルおよびＰＤＣＣＨ候補の数を下記の表２のように定義することができる。
【００５７】
【表２】
0005997374.tif 000003
【００５８】
上記の表２からわかるように、４種類のアグリゲーションレベルが存在するので、端末は各アグリゲーションレベルによって複数の探索空間を有する。また、上記の表２に示すように、探索空間は、端末特定探索空間と共通探索空間とに区別できる。端末特定探索空間は特定の端末のためのもので、各端末は、端末特定探索空間を監視して（可能なＤＣＩフォーマットによってＰＤＣＣＨ候補集合に対して復号を試みて）、ＰＤＣＣＨにマスクされているＲＮＴＩおよびＣＲＣを確認し、有効な場合、制御情報を取得することができる。
【００５９】
共通探索空間は、システム情報に対する動的スケジューリングやページングメッセージなどを含む、複数の端末または全端末がＰＤＣＣＨを受信する必要がある場合のためのものである。ただし、共通探索空間は、リソース管理上、特定の端末のためのものとして用いられてもよい。また、共通探索空間は、端末特定探索空間とオーバーラップしてもよい。
【００６０】
上記の探索空間は、具体的に下記の式（１）によって決定することができる。
【００６１】
【数１】
0005997374.tif 000004
【００６２】
ここで、Ｌはアグリゲーションレベル、ＹkはＲＮＴＩおよびサブフレーム番号ｋによって決定される変数、ｍ'はＰＤＣＣＨ候補数を表す。ｍ'は、搬送波アグリゲーションが適用された場合にｍ'＝ｍ＋Ｍ(L)・ｎCIであり、そうでない場合はｍ'＝ｍである。ここで、ｍ＝０，…，Ｍ(L)−１であり、Ｍ(L)はＰＤＣＣＨ候補の数である。また、ＮCCE,Kはｋ番目のサブフレームの制御領域におけるＣＣＥの合計数を表し、ｉは各ＰＤＣＣＨ候補において個別のＣＣＥを指定する因子を表し、ｉ＝０，…，Ｌ−１である。共通探索空間では、Ｙkは常に０であると決定される。
【００６３】
図５は、上記の式（１）によって定義できる各アグリゲーションレベルでの端末特定探索空間（網かけ部分）を示す。ここで、搬送波アグリゲーションは適用されておらず、また、ＮCCE,Kは、説明の便宜のために３２個とした。
【００６４】
図５の（ａ）、（ｂ）、（ｃ）、（ｄ）はそれぞれ、アグリゲーションレベル１、２、４、８の場合を例示しており、数字はＣＣＥ番号を表す。図５で、各アグリゲーションレベルにおいて探索空間の開始ＣＣＥは、上述したようにＲＮＴＩおよびサブフレーム番号ｋで決定されるが、一つの端末に対して同一のサブフレーム内でモジュロ関数とＬによってアグリゲーションレベルごとに異なるように決定されてもよい。開始ＣＣＥは、Ｌによって常にアグリゲーションレベルの倍数に対応するよう決定される。ここで、Ｙkは例示的にＣＣＥ番号１８であると仮定した。開始ＣＣＥから端末は、当該アグリゲーションレベルによって決定されるＣＣＥ単位で順次に復号を試みる。例えば、図５の（ｂ）で、端末は、開始ＣＣＥであるＣＣＥ番号４からアグリゲーションレベルによって２個のＣＣＥ単位で復号を試みる。
【００６５】
上述した通り、端末は探索空間に対して復号を試みるが、この復号を試みる回数は、ＤＣＩフォーマットおよびＲＲＣシグナリングによって指示される送信モード（Transmission mode）によって決定される。搬送波アグリゲーションが適用されない場合、端末は共通探索空間に対して６個のＰＤＣＣＨ候補のそれぞれに対して２種類のＤＣＩサイズ（ＤＣＩフォーマット０／１Ａ／３／３Ａ、およびＤＣＩフォーマット１Ｃ）を考慮するので、最大１２回の復号を試みる必要がある。端末特定探索空間に対しては、１６（６＋６＋２＋２＝１６）個のＰＤＣＣＨ候補のそれぞれに対して２種類のＤＣＩサイズを考慮するので、最大３２回の復号を試みる必要がある。したがって、搬送波アグリゲーションが適用されない場合、最大４４回の復号を試みる必要がある。
【００６６】
一方、搬送波アグリゲーションが適用される場合は、下りリンクリソース（構成搬送波）の数だけの端末特定探索空間およびＤＣＩフォーマット４のための復号が追加されるため、最大復号回数はさらに増加することになる。
【００６７】
参照信号（Reference Signal；ＲＳ）
無線通信システムにおいてパケットを送信するとき、パケットは無線チャネルを介して送信されるため、送信過程で信号の歪みが発生することがある。歪んだ信号を受信側で正しく受信するためには、チャネル情報を用いて受信信号から歪みを補正しなければならない。チャネル情報を知るために、送信側、受信側の両方で知っている信号を送信し、当該信号がチャネルを介して受信される時の歪みの度合によってチャネル情報を知る方法を主に用いる。この信号をパイロット信号（Pilot Signal）または参照信号（Reference Signal）という。
【００６８】
多重アンテナを用いてデータを送受信する場合は、各送信アンテナと受信アンテナ間のチャネル状況を知らなければ正しい信号を受信することができない。そのため、各送信アンテナ別に、より具体的にはアンテナポート別にそれぞれの参照信号が存在しなければならない。
【００６９】
参照信号は、上りリンク参照信号と下りリンク参照信号とに区別することができる。現在、ＬＴＥシステムには、上りリンク参照信号として、
ｉ）ＰＵＳＣＨおよびＰＵＣＣＨを介して送信された情報のコヒーレント（coherent）な復調のためのチャネル推定に用いられる復調参照信号（DeModulation-Reference Signal；ＤＭＲＳ）と、
ii）基地局が、ネットワークの異なる周波数上における上りリンクチャネル品質を測定するために用いるサウンディング参照信号（Sounding Reference Signal；ＳＲＳ）と、がある。
【００７０】
一方、下りリンク参照信号としては、
ｉ）セル内の全ての端末が共有するセル−特定参照信号（Cell-specific Reference Signal；ＣＲＳ）と、
ii）特定の端末のみのための端末−特定参照信号（UE-specific Reference Signal）と、
iii）ＰＤＳＣＨが送信される場合、コヒーレントな復調のために送信されるＤＭＲＳと、
iv）下りリンクＤＭＲＳが送信される場合、チャネル状態情報（Channel State Information；ＣＳＩ）を伝達するためのチャネル状態情報参照信号（Channel State Information-Reference Signal；ＣＳＩ−ＲＳ）と、
ｖ）ＭＢＳＦＮ（Multimedia Broadcast Single Frequency Network）モードで送信される信号に対するコヒーレントな復調のために送信されるＭＢＳＦＮ参照信号（MBSFN Reference Signal）と、
vi）端末の地理的位置情報を推定するために用いられる位置参照信号（Positioning Reference Signal）と、がある。
【００７１】
参照信号は、その目的によって２種類に大別することができる。チャネル情報の取得のための参照信号とデータ復調のための参照信号とがある。前者は、ＵＥが下りリンクのチャネル情報を取得できるようにすることが目的であるため、広帯域で送信しなければならず、特定のサブフレームで下りリンクデータを受信しない端末であってもその参照信号を受信しなければならない。また、これはハンドオーバなどの状況でも用いられる。後者は、基地局が下りリンクデータを送信するとき、該当のリソースで併せて送る参照信号であり、端末は当該参照信号を受信することによってチャネル測定をし、データを復調することができる。この参照信号はデータの送信される領域で送信されなければならない。
【００７２】
ＣＲＳはチャネル情報取得およびデータ復調の２つの目的で用いられ、端末特定参照信号はデータ復調用にのみ用いられる。ＣＲＳは、広帯域に対してサブフレームごとに送信され、基地局の送信アンテナ個数によって最大４個のアンテナポートに対する参照信号が送信される。
【００７３】
例えば、基地局の送信アンテナの数が２個の場合、０番と１番のアンテナポートに対するＣＲＳが送信され、４個の場合、０〜３番のアンテナポートに対するＣＲＳがそれぞれ送信される。
【００７４】
図６は、既存の３ＧＰＰ ＬＴＥシステム（例えば、リリース−８）において定義されるＣＲＳおよびＤＲＳが、下りリンクリソースブロック対（RB pair）上にマッピングされるパターンを示す図である。参照信号がマッピングされる単位としての下りリンクリソースブロック対は、時間上で１個のサブフレーム×周波数上で１２個の副搬送波の単位で表現することができる。すなわち、１組のリソースブロック対は、時間上で、正規ＣＰの場合（図６（ａ））は１４個のＯＦＤＭシンボル長、拡張ＣＰの場合（図６（ｂ））は１２個のＯＦＤＭシンボル長を有する。
【００７５】
図６は、基地局が４個の送信アンテナをサポートするシステムにおいて、参照信号の、リソースブロック対上における位置を示している。図６で、「０」、「１」、「２」および「３」で表示されたリソース要素（ＲＥ）は、それぞれ、アンテナポートインデックス０、１、２および３に対するＣＲＳの位置を示す。一方、図６で、「Ｄ」で表示されたリソース要素は、ＤＭＲＳの位置を示す。
【００７６】
異種無線ネットワーク環境（Heterogeneous deployments）
図７は、マクロ（macro）基地局（ＭｅＮＢ）並びにマイクロ（micro）基地局（ＰｅＮＢもしくはＦｅＮＢ）を含む異種無線ネットワーク無線通信システムを示す図である。本文書でいう異種無線ネットワーク（heterogeneous network；ＨｅｔＮｅｔ）は、同一のＲＡＴ（Radio Access Technology）を用いる一方、マクロ基地局（ＭｅＮＢ）とマイクロ基地局（ＰｅＮＢまたはＦｅＮＢ）とが共存するネットワークを意味する。
【００７７】
マクロ基地局（ＭｅＮＢ）は、広いカバレッジおよび高い送信電力を有するもので、無線通信システムの一般的な基地局を意味する。マクロ基地局（ＭｅＮＢ）は、マクロセルと呼ぶこともできる。
【００７８】
マイクロ基地局（ＰｅＮＢまたはＦｅＮＢ）は、例えば、マイクロセル（micro cell）、ピコセル（pico cell）、フェムトセル（femto cell）、ホーム（home）ｅＮＢ（ＨｅＮＢ）、中継機（relay）などと呼ぶこともできる（例示されたマイクロ基地局およびマクロ基地局は、送信ポイント（transmission point）と呼ぶこともできる）。マイクロ基地局（ＰｅＮＢまたはＦｅＮＢ）は、マクロ基地局（ＭｅＮＢ）の小型バージョンであって、マクロ基地局の機能を殆ど行いながら独立して作動でき、マクロ基地局がカバーする領域内に設置（overlay）されてもよく、マクロ基地局のカバーできないシャドウエリア（shadow area）に設置（non-overlay）されてもよい、非オーバーレイタイプの基地局である。マイクロ基地局（ＰｅＮＢまたはＦｅＮＢ）は、マクロ基地局（ＭｅＮＢ）に比べて、より狭いカバレッジおよび低い送信電力を有し、より少ない個数の端末をカバーすることができる。
【００７９】
端末は、マクロ基地局（ＭｅＮＢ）から直接サービスされてもよく（以下、マクロ−端末という）、マイクロ基地局（ＰｅＮＢまたはＦｅＮＢ）からサービスされてもよい（以下、マイクロ−端末という）。場合によっては、マイクロ基地局（ＭｅＮＢ）のカバレッジ内に存在する端末（ＰＵＥ）が、マクロ基地局（ＭｅＮＢ）からサービスされてもよい。
【００８０】
マイクロ基地局は、端末のアクセスを限定するか否かによって２つのタイプに分類できる。
【００８１】
一つのタイプは、オープンアクセス加入者グループ（Open access Subscriber Group；ＯＳＧ）または非クローズドアクセス加入者グループ（Closed access subscriber Group；ｎｏｎ−ＣＳＧ）基地局で、既存のマクロ−端末または他のマイクロ基地局のマイクロ−端末のアクセスを許容するセルである。既存のマクロ−端末などは、ＯＳＧタイプの基地局にハンドオーバ可能である。
【００８２】
もう一つのタイプは、ＣＳＧ基地局で、既存のマクロ−端末または他のマイクロ基地局のマイクロ−端末のアクセスを許容しないセルである。そのため、ＣＳＧ基地局へのハンドオーバは不可能である。
【００８３】
協調マルチポイント（Coordinated Multi-Point；ＣｏＭＰ）
３ＧＰＰ ＬＴＥ−Ａシステムの改善されたシステム性能要求条件に応じて、ＣｏＭＰ送受信技術（co-MIMO、共同（collaborative）ＭＩＭＯ、またはネットワークＭＩＭＯなどと表現することもできる）が提案されている。ＣｏＭＰ技術は、セル−境界（cell-edge）に位置している端末の性能を向上させ、平均セクタースループット（throughput）を増加させることができる。
【００８４】
一般に、周波数再使用因子（frequency reuse factor）が１である多重−セル環境で、セル−間干渉（Inter-Cell Interference；ＩＣＩ）によって、セル−境界に位置している端末の性能と平均セクタースループットとが減少することがある。このようなＩＣＩを低減するために、既存のＬＴＥ／ＬＴＥ−Ａシステムでは、端末特定電力制御を用いた部分周波数の再使用（fractional frequency reuse；ＦＦＲ）などの単純な受動的技法を用いて、干渉によって制約を受けた環境でセル−境界に位置している端末が適切なスループット性能を持つようにする方法が適用された。しかし、セル当たりの周波数リソースの使用を減らすよりは、ＩＣＩを低減したり、ＩＣＩを端末の所望する信号として再使用する方が好ましいといえる。上記のような目的を達成するために、ＣｏＭＰ送信技法を適用することができる。
【００８５】
下りリンクの場合に適用可能なＣｏＭＰ技法は、大きく、ジョイント−プロセシング（joint processing；ＪＰ）技法と調整スケジューリング／ビームフォーミング（coordinated scheduling/beam forming；ＣＳ／ＣＢ）技法に分類することができる。
【００８６】
ＪＰ技法は、ＣｏＭＰ協調単位におけるそれぞれの送信ポイント（基地局）でデータを用いることができる。ＣｏＭＰ協調単位は、協調送信技法に用いられる基地局の集合を意味する。ＪＰ技法は、ジョイント送信（Joint Transmission）技法と動的セル選択（Dynamic cell selection）技法とに分類することができる。
【００８７】
ジョイント送信技法は、ＰＤＳＣＨが一度に複数の送信ポイント（ＣｏＭＰ協調単位の一部または全部）から送信される技法を意味する。すなわち、単一の端末に送信されるデータを複数の送信ポイントから同時に送信することができる。ジョイント送信技法によれば、コヒーレントに（coherently）またはノン−コヒーレントに（non-coherently）受信信号の品質を向上させることができ、また、他の端末に対する干渉を能動的に消去することもできる。
【００８８】
動的セル選択技法は、ＰＤＳＣＨが一度に（ＣｏＭＰ協調単位における）一つの送信ポイントから送信される技法を意味する。すなわち、特定の時点で単一の端末に送信されるデータを一つの送信ポイントから送信し、その時点で協調単位における他の送信ポイントは当該端末に対してデータ送信をしない。このとき、当該端末にデータを送信する送信ポイントは動的に選択することができる。
【００８９】
一方、ＣＳ／ＣＢ技法によれば、複数のＣｏＭＰ協調単位が単一の端末に対するデータ送信のビームフォーミングを協調的に行うことができる。ここで、データはサービングセルでのみ送信するが、ユーザスケジューリング／ビームフォーミングは、該当のＣｏＭＰ協調単位におけるセルの調整によって決定することができる。
【００９０】
一方、上りリンクの場合に、調整（coordinated）多重−送信ポイント受信は、地理的に離れている複数の送信ポイントの調整によって送信された信号を受信することを意味する。上りリンクの場合に適用可能なＣｏＭＰ技法は、ジョイント受信（Joint Reception；ＪＲ）および調整スケジューリング／ビームフォーミング（coordinated scheduling/beam forming；ＣＳ／ＣＢ）に分類することができる。
【００９１】
ＪＲ技法は、ＰＵＳＣＨを介して送信された信号が複数の受信ポイントで受信されることを意味し、ＣＳ／ＣＢ技法は、ＰＵＳＣＨが一つのポイントでのみ受信されるが、ユーザスケジューリング／ビームフォーミングは、ＣｏＭＰ協調単位におけるセルの調整によって決定されることを意味する。
【００９２】
このようなＣｏＭＰシステムを用いると、端末は、多重−セル基地局（Multi-cell basestation）から共同でデータのサポートを受けることができる。また、各基地局は、同一の無線周波数リソース（Same Radio Frequency Resource）を用いて一つまたは複数の端末を同時にサポートすることによって、システムの性能を向上させることができる。また、基地局は、基地局と端末との間のチャネル状態情報に基づいて空間分割多元接続（Space Division Multiple Access：ＳＤＭＡ）方法を行うこともできる。
【００９３】
ＣｏＭＰシステムにおいて、サービング基地局および一つまたは複数の協調基地局は、バックボーンネットワーク（Backbone Network）を介してスケジューラ（scheduler）に接続される。スケジューラは、バックボーンネットワークを介して、各協調基地局が測定してフィードバックした各端末と協調基地局との間のチャネル状態に関するチャネル情報を受信し、このチャネル情報に基づいて動作することができる。例えば、スケジューラは、サービング基地局および一つまたは複数の協調基地局に対して協調的ＭＩＭＯ動作のための情報をスケジュールすることができる。すなわち、スケジューラから各基地局に協調的ＭＩＭＯ動作に関して直接指示することができる。
【００９４】
上述した通り、ＣｏＭＰシステムは、複数のセルを一つのグループにまとめて仮想ＭＩＭＯシステムとして動作するものと考えることができ、ＣｏＭＰシステムには、基本的に、多重アンテナを用いるＭＩＭＯシステムの通信技法を適用することができる。
【００９５】
図８には、ＣｏＭＰクラスタ（CoMP cluster）を例示している。ここで、ＣｏＭＰクラスタとは、上述したＣｏＭＰ協調単位に相当し、図８（ａ）では、ＣｏＭＰクラスタにおけるセルが、互いに異なる物理セルＩＤ（physical cell ID；ＰＣＩＤ）を用いる場合を、図８（ｂ）では、ＣｏＭＰクラスタにおけるセルがいずれも同一のＰＣＩＤを用いる場合を示している。ＣｏＭＰクラスタにおけるセルがいずれも同一のＰＣＩＤを用いるとしても、それぞれのＣｏＭＰクラスタ（図８（ｂ）におけるＣｏＭＰクラスタＡおよびＢ）は互いに異なるＰＣＩＤを用い、単一クラスタ内のセルが同一のＰＣＩＤを共有して、単一基地局の分散アンテナまたはＲＲＨの形態として構成されてもよい。また、これらの変形された形態として、単一クラスタにおけるセルの一部のセル同士が同一のＰＣＩＤを共有することもできる。
【００９６】
セルが同一のＰＣＩＤを共有する場合に、プライマリ同期信号（Primary Synchronization Signal；ＰＳＳ）／セカンダリ同期信号（Secondary synchronization signal；ＳＳＳ）、ＣＲＳ、ＰＢＣＨ、ＣＲＳベースのＰＤＣＣＨ／ＰＤＳＣＨの共通信号は、同一のＰＣＩＤを持つ全てのセルが同一時点で送信して、受信信号品質の向上およびシャドウエリアの解消を図ることができる。あるいは、同一のＰＣＩＤを持つセルのうち、高い送信電力を持つ一部のセルが共通信号を送信し、残りのセルは共通信号を送信しなくてもよい。ただし、ＣＳＩ−ＲＳ、端末−特定ＲＳ、そして端末−特定ＲＳベースのＰＤＳＣＨを用いたユニキャストデータ送信の場合には、各セルで個別送信が可能であり、セル分散利得（cell splitting gain）を有することができる。
【００９７】
拡張物理下りリンク制御チャネル（Enhanced-PDCCH；ＥＰＤＣＣＨ）
リリース１１以降のＬＴＥシステムでは、協調マルチポイント（Coordinate Multi Point；ＣｏＭＰ）、マルチユーザ多入力多出力（Multi User-Multiple Input Multiple Output；ＭＵ−ＭＩＭＯ）などによるＰＤＣＣＨの容量不足、およびセル間干渉（inter-cell interference）によるＰＤＣＣＨの性能低下などに対する解決策として、既存のＰＤＳＣＨ領域を介して送信され得る拡張ＰＤＣＣＨ（Enhanced-PDCCH；ＥＰＤＣＣＨ）が考慮されている。また、ＥＰＤＣＣＨでは、プリコーディング（pre-coding）利得などを得るために、既存のＣＲＳベースのＰＤＣＣＨと異なり、ＤＭＲＳに基づいてチャネル推定を行うことができる。
【００９８】
前述したＰＤＣＣＨの送信がＲＥＧ、ＲＥＧで構成されたＣＣＥに基づくのに対し、ＥＰＤＣＣＨ送信は、拡張ＲＥＧ（Enhanced REG；ＥＲＥＧ）、拡張ＣＣＥ（Enhanced CCE；ＥＣＣＥ）、ＰＲＢ対に基づくことができる。ここで、ＥＣＣＥは４個のＥＲＥＧで構成し、一つのＰＲＢ対は４個のＥＣＣＥで構成することができる。ＰＤＣＣＨの場合と同様、ＥＰＤＣＣＨでもアグリゲーションレベルの概念を用いる。ただし、ＥＰＤＣＣＨにおけるアグリゲーションレベルはＥＣＣＥに基づく。
【００９９】
ＥＰＤＣＣＨ送信は、ＥＰＤＣＣＨ送信に用いられるＰＲＢ対の構成によって、局部型（localized）ＥＰＤＣＣＨ送信と分散型（distributed）ＥＰＤＣＣＨ送信とに区別することができる。局部型ＥＰＤＣＣＨ送信は、一つのＤＣＩ送信に用いられるＥＣＣＥが周波数ドメインにおいて隣接している場合を意味し、ビームフォーミング利得を得るために特定のプリコーディングを適用することもできる。例えば、局部型ＥＰＤＣＣＨ送信は、アグリゲーションレベルに該当する個数の連続したＥＣＣＥに基づくことができる。一方、分散型ＥＰＤＣＣＨ送信は、一つのＥＰＤＣＣＨが周波数ドメインにおいて分離されたＰＲＢ対で送信されることを意味し、周波数ダイバーシティ側面の利得がある。例えば、分散型ＥＰＤＣＣＨ送信は、周波数ドメインにおいて分離された各ＰＲＢ対のそれぞれに含まれた４個のＥＲＥＧからなるＥＣＣＥに基づくことができる。
【０１００】
端末は、ＥＰＤＣＣＨを介して制御情報（ＤＣＩ）を受信／取得するために、既存のＬＴＥ／ＬＴＥ−Ａシステムと同様にブラインド復号を行うことができる。より詳しくは、端末は、設定された送信モードに該当するＤＣＩフォーマットのために、アグリゲーションレベル別にＥＰＤＣＣＨ候補のセットに対して復号を試みる（監視する）ことができる。ここで、監視の対象となるＥＰＤＣＣＨ候補のセットは、ＥＰＤＣＣＨ端末特定探索空間と呼ぶことができ、この探索空間はアグリゲーションレベル別に設定／構成することができる。また、アグリゲーションレベルは、前述した既存のＬＴＥ／ＬＴＥ−Ａシステムとはやや違い、サブフレームタイプ、ＣＰの長さ、ＰＲＢ対内の使用可能なリソース量などによって｛１、２、４、８、１６、３２｝が可能である。
【０１０１】
以下では、一つの端末に複数の探索空間を設定（multiple Search Space Configuration）して、制御情報をチャネル状況に応じて送受信する方法について説明する。ここで、探索空間とは、各アグリゲーションレベル別探索空間（または、そのアグリゲーション）の概念でもよいが、ＥＰＤＣＣＨ送信に関連する一つまたは複数のＰＲＢ対のセット、すなわち、ＥＰＤＣＣＨ ＰＲＢ（対）セットを意味してもよい。
【０１０２】
このような探索空間、すなわち、複数のＰＲＢ対のアグリゲーション／セットの設定は、ＰＲＢ対セットを用いて制御情報の送信スキーム（transmission scheme）を区別するのに用いることができる。前述したように、局部型送信と分散型送信の２種類の送信スキームによってＥＰＤＣＣＨを送信できるが、端末に設定されるＥＰＤＣＣＨ ＰＲＢセットは、それぞれ異なる送信スキームに関するものでもよい。例えば、一つの端末に、第１のＥＰＤＣＣＨ ＰＲＢセットおよび第２のＥＰＤＣＣＨ ＰＲＢセットが設定された場合、第１のＥＰＤＣＣＨ ＰＲＢセットは局部型ＥＰＤＣＣＨ送信のためのものであり、第２のＥＰＤＣＣＨ ＰＲＢセットは分散型送信のためのものでもよい。ただし、これは例示にすぎず、第１のＥＰＤＣＣＨ ＰＲＢセットと第２のＥＰＤＣＣＨ ＰＲＢセットとが同一の送信スキームを有してもよい。
【０１０３】
また、複数のＥＰＤＣＣＨ ＰＲＢセットの設定は、制御情報を送信する送信ポイントを区別するために用いることもできる。より詳しくは、ネットワークは、隣接した送信ポイントの探索空間設定を重複して構成し、端末にサービング送信ポイントに加えて隣接送信ポイントの探索空間も設定して、明示的シグナリングを行わずに制御情報送信のハンドオーバを具現することができる。
【０１０４】
例えば、第１の送信ポイントと第２の送信ポイントとは、端末に、第１のＥＰＤＣＣＨ ＰＲＢセットと第２のＥＰＤＣＣＨ ＰＲＢセットとを設定することができる。ここで、第１のＥＰＤＣＣＨ ＰＲＢセットは第１の送信ポイントのためのものであり、第２のＥＰＤＣＣＨ ＰＲＢセットは第２の送信ポイントのためのものでもよい。ネットワークは端末の移動性（mobility）などを反映して、チャネル状況の良い送信ポイントから制御情報を送信するようにすることができる。この過程で、各ＥＰＤＣＣＨ ＰＲＢセットを通じて送信される制御情報で当該送信ポイントのセルＩＤ／仮想セルＩＤも送信し、これによってＰＤＳＣＨのハンドオーバも併せて具現されるようにすることができる。そのために、各送信ポイントは、当該端末のハンドオーバに必要な情報をＸ２シグナリングなどを介して交換することができる。また、ＰＤＳＣＨハンドオーバのために各送信ポイントで用いられるＣＳＩ−ＲＳ設定（例えば、非ゼロパワーＣＳＩ−ＲＳ設定（non-zero power CSI-RS configuration）、ゼロパワーＣＳＩ−ＲＳ設定（zero power CSI-RS configuration）、ＩＭＲなど）が、上位層シグナリングを介して端末に伝達されてもよい。
【０１０５】
このような送信ポイントとＥＰＤＣＣＨ ＰＲＢセットとの関係は、図９に示す場合を意味すると理解してもよい（ただし、図９に例示した場合に本発明の説明に係る場合が限定されるわけではない）。図９（ａ）を参照すると、第１のＥＰＤＣＣＨ ＰＲＢセットは第１の送信ポイントのＥＰＤＣＣＨ送信のためのものであり、第２のＥＰＤＣＣＨ ＰＲＢセットは第２の送信ポイントのＥＰＤＣＣＨ送信のためのものとなっている。あるいは、図９（ｂ）に示すように、第１のＥＰＤＣＣＨ ＰＲＢセットおよび第２のＥＰＤＣＣＨ ＰＲＢセットは、いずれも、第１の送信ポイントまたは第２の送信ポイントのいずれかからのＥＰＤＣＣＨ送信のためのものでもよい。これは、ＥＰＤＣＣＨレベルの動的セル選択のためのものと理解してもよい。
【０１０６】
上述した通り、複数のＥＰＤＣＣＨ ＰＲＢセットを端末に設定して管理するための各ＰＲＢセット別‘設定（configuration）’は、以下に説明する情報を含むことができる。勿論、以下に説明するような情報は、上記の‘設定’に含まれて端末に伝達されてもよく、上位層シグナリングで個別に端末に伝達されてもよい。
【０１０７】
第一に、リソースマッピング情報（Resource mapping information、rate matching or puncturing pattern）を上記の設定（configuration）に含めることができる。ＥＰＤＣＣＨは、ＰＤＳＣＨ領域を通じて送信されるが、既存のＬＴＥ／ＬＴＥ−Ａシステムにおいて、ＰＤＳＣＨリソース領域に含まれるＲＥを含めたＲＥで送信される信号／チャネルのうち、ＥＰＤＣＣＨと無関係なまたはＥＰＤＣＣＨに優先する信号／チャネルがありうる。或いは、ＥＰＤＣＣＨに比べて優先順位の高い信号／チャネルもありうる。基地局は、このような信号／チャネルが送信されるＲＥにはＥＰＤＣＣＨをマッピングしないが、端末も、ＥＰＤＣＣＨを正しく復調／復号するためにはこのような情報を知っていなければならない。特に、図９に例示した場合のように、異なった送信ポイントで制御情報が送信される場合、当該送信ポイントが信号を送信するか否かおよび／または設定に関する情報を端末に知らせる必要がある。そのため、ＥＰＤＣＣＨのマッピングされたリソース要素を決定するための情報（パラメータセット）を上記の設定に含めたり、または上位層シグナリングを通じて端末に伝達することができる。この場合、第１のＥＰＤＣＣＨ ＰＲＢセットおよび第２のＥＰＤＣＣＨ ＰＲＢセットが設定された端末は、第１のＥＰＤＣＣＨ ＰＲＢセットおよび第２のＥＰＤＣＣＨ ＰＲＢセットのそれぞれに対してＥＰＤＣＣＨの復号を試みるとき、上記パラメータセットを用いてＥＰＤＣＣＨのマッピングされたリソース要素を決定できるため、第１のＥＰＤＣＣＨ ＰＲＢセットおよび第２のＥＰＤＣＣＨ ＰＲＢセットを通じてサービングセル以外の他の送信ポイントがＥＰＤＣＣＨを送信しても問題なくブラインド復号を行うことができる。
【０１０８】
ＥＰＤＣＣＨのマッピングされたリソース要素を決定するための情報（パラメータセット）は、ＣＲＳ関連情報（パラメータ）、ＣＳＩ−ＲＳ関連情報（パラメータ）、ＰＤＣＣＨ関連情報（パラメータ）、その他の情報を含むことができる。
【０１０９】
ＣＲＳ関連情報は、ＣＲＳアンテナポートの個数、ＣＲＳ周波数シフト情報（v-shift）、ＭＢＳＦＮサブフレーム情報などを含むことができる。端末は、ＭＢＳＦＮサブフレーム情報を用いてＰＤＳＣＨ領域でＣＲＳが送信されるか否かを把握でき、ＭＢＳＦＮサブフレームでない場合、ＣＲＳアンテナポートの個数およびＣＲＳ周波数シフト情報を用いてＰＤＳＣＨ領域でＣＲＳが送信されるＲＥを把握できる。端末は、ＣＲＳが送信されるＲＥにはＥＰＤＣＣＨがマッピングされないと推定してＥＰＤＣＣＨブラインド復号を行うことができる。仮に、端末がこのようなＣＲＳ関連情報を受信できなかった場合、サービングセルのＣＲＳ関連情報を用いてＥＰＤＣＣＨがマッピングされたＲＥを決定することができる。
【０１１０】
ＣＳＩ−ＲＳ関連情報は、該当の送信ポイントで用いられるＣＳＩ−ＲＳ設定およびゼロパワーＣＳＩ−ＲＳ情報（ゼロパワーＣＳＩ−ＲＳ情報にはＩＭＲ設定情報が含まれる）などを含むことができる。端末は、ＣＳＩ−ＲＳ関連情報から、ＥＰＤＣＣＨがマッピングされない、ＣＳＩ−ＲＳまたはゼロパワーＣＳＩ−ＲＳの送信に用いられるＲＥを把握でき、これは、ＣＳＩ−ＲＳまたはゼロパワーＣＳＩ−ＲＳリソース設定を識別するための形態で与えることができる。
【０１１１】
ＰＤＣＣＨ関連情報は、ＰＤＣＣＨが送信されるＯＦＤＭシンボルの個数情報を含むことができ、端末は、該情報から、ＰＤＳＣＨ送信が始まるＯＦＤＭシンボルがわかる。換言すれば、ＰＤＣＣＨ関連情報は、ＰＤＳＣＨ送信が始まるＯＦＤＭシンボル情報を含むことができる。ここで、ＰＤＳＣＨ送信が始まるＯＦＤＭシンボルを知らせるということは、ＥＰＤＣＣＨの開始シンボル（starting symbol）を示すと解釈されてもよい。
【０１１２】
その他の情報としては、ＰＢＣＨ、ＳＣＨ、ページング（paging）情報などが挙げられる。これらの信号／チャネルは、ＥＰＤＣＣＨよりも優先して送信されるべきものと考えればよく、そのため、これらの信号／チャネルが送信される、サブフレーム、ＯＦＤＭシンボル、周波数などに関する情報を端末に知らせることができる。
【０１１３】
第二に、拡散シーケンスパラメータ（scrambling sequence parameter）が上記設定に含まれてもよい。第１のＥＰＤＣＣＨ ＰＲＢセットと第２のＥＰＤＣＣＨ ＰＲＢセットとにおいてＥＰＤＣＣＨ送信に用いられた拡散シーケンスは互いに異なることがあり、よって、各セットのための拡散シーケンスパラメータが端末に伝達される必要がある。これによって、ネットワークは非−直交シーケンスを用いたマルチユーザ（Multi User；ＭＵ）ＭＩＭＯを具現することができ、また、拡散シーケンスを用いた送信ポイントの区別、ＥＰＤＣＣＨ ＰＲＢセット／探索空間／送信スキームの区別などを具現することができる。
【０１１４】
第三に、アンテナポート割当情報が上記設定に含まれてもよい。
【０１１５】
局部型送信と分散型送信とはその送信方式が異なるため、該当のＰＲＢ対におけるリソースとアンテナポートとのマッピング関係も異なることがある。例えば、局部型送信では一つのＰＲＢ対を４個のＥＣＣＥに分け、各ＥＣＣＥにそれぞれ異なるアンテナポートを割り当てることができ、分散型送信において共通（shared）ＲＳなどが用いられる場合、当該ＰＲＢ対における全てのリソースは同一のアンテナポートで復号しなければならないことがある。また、セルの容量増加のために、同一の送信スキームを用いる端末間に複数の探索空間（すなわち、ＥＰＤＣＣＨ ＰＲＢセット）設定と探索空間特定アンテナポート割当とを用いると、同一のセルでＭＵ−ＭＩＭＯなどを行うことができるという長所がある（例えば、同一のＰＲＢ対のＥＣＣＥ ０、１、２、３に対して、ＵＥ０にはポート（port）７、８、９、１０を割り当て、ＵＥ１にはポート（port）１０、９、８、７を割り当てると、アグリゲーションレベル１においても互いに異なったアンテナポートを用いたＭＵ−ＭＩＭＯを具現することができる）。他の例示として、端末に共通制御情報と端末特定制御情報とが同時に伝達される必要がある場合（或いは、上位レベルシグナリング周期内で、共通制御情報が送信されるサブフレームと端末特定制御情報が送信されるサブフレームとが混在する場合）、それぞれに対する探索空間（すなわち、ＥＰＤＣＣＨ ＰＲＢセット）設定をシグナリングすることができ、これは、共通制御情報は分散型送信によって伝達され、端末特定制御情報は局部型送信によって伝達される方法を含む。
【０１１６】
このような動作のために、本発明によれば、各探索空間（すなわち、ＥＰＤＣＣＨ ＰＲＢセット）設定によって、ブラインド復号を行う際に用いるべきアンテナポート割当に関する情報を含むことができる。
【０１１７】
アンテナポート情報は、探索空間に該当するＰＲＢ対内の各基本送信単位（例えば、ＥＣＣＥ、ＥＲＥＧ）に対するアンテナポートをシグナリングする方法によって伝達してもよく、あらかじめパターンを決定しておき、各パターンのインデックスを探索空間（すなわち、ＥＰＤＣＣＨ ＰＲＢセット）設定に含める方法などを用いてもよい。例えば、局部型送信用アンテナポート割当と分散型送信用アンテナポート割当とをあらかじめ定義し、該当の探索空間（すなわち、ＥＰＤＣＣＨ ＰＲＢセット）設定で特定のアンテナポート割当をシグナリングしたり、各探索空間がいずれの送信方式のためのものかをシグナリングし、端末は、事前に定義された送信方式別アンテナポート割当を各探索空間に適用することができる。アンテナポート割当は、制御情報がいずれのＲＳに基づいて動作するかによって、ＣＲＳまたはＤＭＲＳに対するアンテナポート割当となる。
【０１１８】
第四に、異なった探索空間が異なったリソースに位置し得るようにするために、各探索空間におけるリソースセット（例えば、ＥＣＣＥ、ＥＲＥＧ）に関する情報をシグナリングすることができる。この情報には、該当の探索空間に属するＰＲＢ対に関する情報（位置、個数など）および各ＰＲＢ対におけるリソースセットの数、リソースセットスキップ（skip）情報（特定のリソースセットは探索空間から除くという意味）などを含むことができる。さらに、各探索空間別設定に、特殊サブフレーム（special subframe）情報のようにＥＰＤＣＣＨ用に用い得るＲＥの数に関する情報を含めることもできる。例えば、特定の探索空間は一般的なサブフレーム（subframe）を仮定し、他の探索空間は特殊サブフレーム（special subframe）を仮定する場合、ＵＥは、特殊サブフレーム設定（special subframe configuration）によって変わる使用可能なＲＥの数に基づいて、各探索空間別に適用されるアグリゲーションレベル（例えば、（１、２、４、８）、（２、４、８、１６））およびＥＣＣＥ当たりＥＲＥＧの数（例えば、ＥＣＣＥ当たり４個のＥＲＥＧ、８個のＥＲＥＧ）を導出してブラインド復号時に適用することができる。
【０１１９】
第五に、探索空間別（または、ＥＰＤＣＣＨセット別）アグリゲーションレベル情報を上記‘設定’に含めることもできる。
【０１２０】
異なったＥＰＤＣＣＨセットでは異なったアグリゲーションレベルに対するブラインド復号が行われるように、送信ポイントが端末に（上位層シグナリングなどを用いて）指示することができる。
【０１２１】
例えば、互いに異なるＥＰＤＣＣＨセットがそれぞれＣＳＳ、ＵＳＳの目的に用いられるとすれば、ＣＳＳに用いられるＥＰＤＣＣＨセットではアグリゲーションレベル４、８に対するブラインド復号のみを行い、ＵＳＳに用いられるＥＰＤＣＣＨセットではアグリゲーションレベル１、２、４、８に対するブラインド復号を行うように指示することができる。または、局部型ＥＰＤＣＣＨセットが２つである場合（分散型ＥＰＤＣＣＨセットが２つの場合および局部型ＥＰＤＣＣＨセットと分散型ＥＰＤＣＣＨセットが混在する場合も含む）にも、各セット別に適用されるアグリゲーションレベルが異なるように設定されてもよい。
【０１２２】
図１０は、上述したように、端末に複数の探索空間／ＥＰＤＣＣＨ ＰＲＢセットが設定され、且つ、複数の探索空間／ＥＰＤＣＣＨ ＰＲＢセットのそれぞれに関する設定情報が伝達された場合、具現可能な制御情報のハンドオーバを示す図である。図１０で、ＳＳ設定（configuration）は、前述した複数のＥＰＤＣＣＨ ＰＲＢセットを端末に設定して管理するための‘設定（configuration）’を意味する。図１０（ａ）を参照すると、第１の送信ポイント（ＴＰ１）／ネットワークは、端末１（ＵＥ１）にはＳＳ設定１を、端末２（ＵＥ２）にはＳＳ設定１および２をシグナリングすることができる（ここで、ＳＳ設定１は第１の送信ポイントに関連する設定、ＳＳ設定２は第２の送信ポイント（ＴＰ２）に関連する設定でもよい）。そのために、各送信ポイントは、領域内の端末から伝達されるＣＳＩ、サービングセル測定結果、隣接セル測定結果などに基づいてＳＳ設定構成および複数の設定を伝達する端末を決定することができる。図１０（ａ）で、端末２にはＳＳ設定１および２の両方がシグナリングされており、端末２は、位置によって（制御情報を送信する）送信ポイントを選択することができる。
【０１２３】
図１０（ｂ）には、端末が複数の送信ポイントの領域を移動する場合を示している。ＳＳ設定がシグナリングされる端末が矢印方向に移動するにつれて、領域ＡではＳＳ設定１および２がシグナリングされ、領域ＢではＳＳ設定２は維持されたまま、ＳＳ設定１がＳＳ設定３に再設定される。同様に、領域ＣでＳＳ設定２がＳＳ設定４に再設定されてもよい。このような再設定過程により、ネットワークは、端末が第１の送信ポイント（ＴＰ１）領域から第４の送信ポイント（ＴＰ４）領域まで移動する際、明示的（explicit）なハンドオーバを行わずに端末の移動性をトラッキングすることができる。また、制御シグナリングなどによって仮想セルＩＤを知らせ、ＰＤＳＣＨも同様、明示的ハンドオーバを行わずにサービングセルを変更することができる。
【０１２４】
一方、前述したように、複数のＥＰＤＣＣＨ ＰＲＢセットが設定され、各ＥＰＤＣＣＨ ＰＲＢセットが互いに異なる送信ポイントから送信される場合、端末にどのセットがどの送信ポイントから送信されるかに関する情報を提供することができる。このような送信ポイントに関する情報は、各ＥＰＤＣＣＨ ＰＲＢセットでＥＰＤＣＣＨを送信する送信ポイントが常時送信する参照信号（例えば、ＣＲＳやＣＳＩ−ＲＳ）の情報の形態とすることができる。もし、端末に各ＥＰＤＣＣＨ ＰＲＢセットにおける送信ポイントに関する情報が提供されるとすれば、端末は、提供された情報から、各ＥＰＤＣＣＨ ＰＲＢセットにおけるＥＰＤＣＣＨ（または、ＥＰＤＣＣＨ復調のためのＲＳ）の大規模特性（large scale property）（例えば、遅延拡散（delay spread）、ドップラ拡散（Doppler spread）、周波数シフト（frequency shift）、平均受信電力（average received power）、受信タイミング（received timing）など）を把握することができる。これは、互いに異なる送信ポイントから送信されるＥＰＤＣＣＨは、上記の大規模特性がそれぞれ異なるため、端末が各セットでＥＰＤＣＣＨを検出するとき、実際に該当のセットでＥＰＤＣＣＨを送信する送信ポイントの大規模特性を、上記の提供された情報、すなわち、ＥＰＤＣＣＨ送信ポイントが常時的に送信する参照信号に基づいて導出すると、より効果的なＥＰＤＣＣＨ検出が可能になる。
【０１２５】
そのために、該当のＰＲＢ対セット（または、探索空間）で送信するＥＰＤＣＣＨ（または、ＥＰＤＣＣＨ復調に用いられるＤＭＲＳ）と特定の信号（例えば、ＣＲＳ、ＣＳＩ−ＲＳ（例えば、ＣＳＩ−ＲＳリソースおよび／またはポート（port））、ＤＲＳ、ＰＢＣＨ／ＳＣＨなど）とのＱＣＬ（疑似同位置（quasi co-location））情報をシグナリングすることができる。ここで、ＱＣＬ情報は、ＱＣＬ関係にあるＲＳ間またはＲＳポート間で同一の長い期間内におけるシグナリング特性（大規模特性（large-scale property））を仮定できることを意味する。端末は、シグナリングされた情報（該当のＰＲＢ対セット（または、探索空間）で送信されるＥＰＤＣＣＨ（または、ＥＰＤＣＣＨ ＲＳ）とＱＣＬ関係にある信号）に基づいて、各ＰＲＢ対セット（または、探索空間）でＥＰＤＣＣＨ復号のための大規模特性をより迅速で正確にトラッキングすることができる。さらにいうと、ＱＣＬ情報は、ｉ）該当のＰＲＢ対セット（または、探索空間）で送信されるＥＰＤＣＣＨ（または、ＥＰＤＣＣＨ ＲＳ）とＱＣＬ関係にある信号の種類、ここにはＣＲＳ（ＣＲＳ周波数シフト情報（v-shift）、ポート（port）の個数、ポート番号（port number）などの情報がさらにシグナリングされてもよい）、ＣＳＩ−ＲＳ（ＣＳＩ−ＲＳリソース（ＣＳＩ−ＲＳグループ番号（CSI-RS group number））、ＣＳＩ−ＲＳポート（RSCSI-RS port）、ＣＳＩ−ＲＳ送信周期およびオフセット）、ＰＢＣＨ／ＳＣＨ（ＰＳＳ／ＳＳＳ）（ＰＢＣＨ／ＳＣＨ送信タイミング情報を含む）と、ii）ＱＣＬ関係にある信号の復号のための情報（セルＩＤ、拡散パラメータなど）と、を含むことができる。
【０１２６】
図１１は、ＥＰＤＣＣＨリソースセット別に異なったＱＣＬ情報を用いてＥＰＤＣＣＨを検出する例示を示す。同図で、送信ポイント１（ＴＰ１）は、端末のサービング送信ポイントであって、端末にＥＰＤＣＣＨのためのＰＲＢ対セット１および２をシグナリングする（このとき、各ＰＲＢ対セットのＤＭＲＳ設定は部分的に異なるように設定されてもよい）。これに加えて、送信ポイント１（ＴＰ１）は、端末に、ＰＲＢ対セット１のＤＭＲＳは送信ポイント１（ＴＰ１）のＣＲＳとＱＣＬ関係を有し、ＰＲＢ対セット２のＤＭＲＳはＣＳＩ−ＲＳ設定２（ＣＳＩ−ＲＳ設定はあらかじめシグナリングされたと仮定する）とＱＣＬ関係を有することをシグナリングすることができる。送信ポイント２（ＴＰ２）は、ＣＳＩ−ＲＳ設定２を適用してＣＳＩ−ＲＳを送信する（このとき、ＰＲＢ対セット１のＱＣＬ情報は省略し、当該情報がシグナリングされないリソースセットは、現サービングセルのＲＳとＱＣＬ関係を有すると仮定してもよい）。その後、サービング送信ポイントは、端末が報告するチャネル情報などに基づいて、ＥＰＤＣＣＨを送信する送信ポイントを変更または維持することができる。また、端末は、シグナリングされたＱＣＬ情報を用いて、各ＰＲＢ対セットでのＥＰＤＣＣＨ検出をより正確に行うことができる。
【０１２７】
図１２は、本発明の実施形態に係る送信ポイント装置および端末装置の構成を示す図である。
【０１２８】
図１２を参照すると、本発明に係る送信ポイント装置１２１０は、受信モジュール１２１１、送信モジュール１２１２、プロセッサ１２１３、メモリ１２１４および複数のアンテナ１２１５を有することができる。複数のアンテナ１２１５は、ＭＩＭＯ送受信をサポートする送信ポイント装置を意味する。受信モジュール１２１１は、端末からの上りリンク上の各種信号、データおよび情報を受信することができる。送信モジュール１２１２は、端末への下りリンク上の各種信号、データおよび情報を送信することができる。プロセッサ１２１３は、送信ポイント装置１２１０全般の動作を制御することができる。
【０１２９】
本発明の一実施例に係る送信ポイント装置１２１０におけるプロセッサ１２１３は、前述した各実施例で必要な事項を処理することができる。
【０１３０】
送信ポイント装置１２１０のプロセッサ１２１３は、その他にも、送信ポイント装置１２１０が受信した情報、外部に送信する情報などを演算処理する機能を担い、メモリ１２１４は、演算処理された情報などを所定時間記憶することができ、バッファ（図示せず）などの構成要素に置き換えられてもよい。
【０１３１】
続いて、図１２を参照すると、本発明に係る端末装置１２２０は、受信モジュール１２２１、送信モジュール１２２２、プロセッサ１２２３、メモリ１２２４および複数のアンテナ１２２５を備えることができる。複数のアンテナ１２２５は、ＭＩＭＯ送受信をサポートする端末装置を意味する。受信モジュール１２２１は、基地局からの下りリンク上の各種信号、データおよび情報を受信することができる。送信モジュール１２２２は、基地局への上りリンク上の各種信号、データおよび情報を送信することができる。プロセッサ１２２３は、端末装置１２２０全般の動作を制御することができる。
【０１３２】
本発明の一実施例に係る端末装置１２２０におけるプロセッサ１２２３は、前述した各実施例で必要な事項を処理することができる。
【０１３３】
端末装置１２２０のプロセッサ１２２３は、その他にも、端末装置１２２０が受信した情報、外部に送信する情報などを演算処理する機能を担い、メモリ１２２４は、演算処理された情報などを所定時間記憶することができ、バッファ（図示せず）などの構成要素に置き換えられてもよい。
【０１３４】
上記のような送信ポイント装置および端末装置の具体的な構成は、前述した本発明の様々な実施例で説明した事項が独立して適用されたり、または２つ以上の実施例が同時に適用されるようにすることができ、重複する内容は明確性のために説明を省略する。
【０１３５】
また、図１２の説明において、送信ポイント装置１２１０についての説明は、下り送信主体または上り受信主体としての中継機装置にも同一に適用することができ、端末装置１２２０についての説明は、下り受信主体または上り送信主体としての中継機装置にも同一に適用することができる。
【０１３６】
以上の本発明の実施例は、様々な手段、例えば、ハードウェア、ファームウェア（firmware）、ソフトウェアまたはそれらの組み合わせなどによって実現することができる。
【０１３７】
ハードウェアによる実現の場合に、本発明の実施例に係る方法は、一つまたはそれ以上の特定用途集積回路（Application Specific Integrated Circuit；ＡＳＩＣ）、デジタル信号プロセッサ（Digital Signal Processor；ＤＳＰ）、デジタル信号処理装置（Digital Signal Processing Device；ＤＳＰＤ）、プログラマブルロジックデバイス（Programmable Logic Device；ＰＬＤ）、フィールドプログラマブルゲートアレイ（Field Programmable Gate Array；ＦＰＧＡ）、プロセッサ、コントローラ、マイクロコントローラ、マイクロプロセッサなどによって実現することができる。
【０１３８】
ファームウェアやソフトウェアによる実現の場合に、本発明の実施例に係る方法は、以上で説明した機能または動作を行うモジュール、手順、関数などの形態として実施することができる。ソフトウェアコードは、メモリユニットに記憶され、プロセッサによって駆動することができる。メモリユニットは、プロセッサの内部または外部に設けられ、既に公知の様々な手段によってプロセッサとデータを授受することができる。
【０１３９】
以上開示された本発明の好ましい実施例についての詳細な説明は、当業者が本発明を具現して実施できるように提供された。以上では本発明の好適な実施例を参照して説明したが、当該技術分野における熟練した当業者に理解されるように、本発明の領域から逸脱しない範囲内で本発明を様々に修正および変更することもできる。例えば、当業者は、上記の実施例に記載された各構成を互いに組み合わせる方式で用いてもよい。したがって、本発明は、ここに開示されている実施形態に限定されるものではなく、ここに開示されている原理および新規な特徴と一致する最も広い範囲を与えるためのものである。
【０１４０】
本発明は、本発明の精神および必須の特徴から逸脱することなく、他の特定の形態で具体化することができる。そのため、上記の詳細な説明は、いずれの面においても制約的に解釈してはならず、例示的なものとして考慮しなければならない。本発明の範囲は、添付した請求項の合理的解釈によって定めなければならず、本発明の等価的範囲内における変更はいずれも本発明の範囲に含まれる。本発明は、ここに開示されている実施形態に限定されるものではなく、ここに開示されている原理および新規な特徴と一致する最も広い範囲を有するものである。また、特許請求の範囲で明示的な引用関係を有しない請求項を組み合わせて実施例を構成してもよく、出願後の補正によって新しい請求項として含めてもよい。
【産業上の利用可能性】
【０１４１】
上述したような本発明の実施形態は、様々な移動通信システムに適用可能である。
【図５（ａ）】
0005997374.tif 000005
【図５（ｂ）】
0005997374.tif 000006
【図５（ｃ）】
0005997374.tif 000007
【図５（ｄ）】
0005997374.tif 000008
【図１】
0005997374.tif 000009
【図２】
0005997374.tif 000010
【図３】
0005997374.tif 000011
【図４】
0005997374.tif 000012
【図６】
0005997374.tif 000013
【図７】
0005997374.tif 000014
【図８】
0005997374.tif 000015
【図９】
0005997374.tif 000016
【図１０】
0005997374.tif 000017
【図１１】
0005997374.tif 000018
【図１２】
0005997374.tif 000019